【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
プレイリスト情報を構成する主たる再生区間情報と従たる再生区間情報に従って、プライマリビデオストリーム及びセカンダリビデオストリームを用いたピクチャインピクチャ再生を行うと共に、プライマリオーディオストリーム及びセカンダリオーディオストリームを用いたミキシング再生を行う再生装置であって、
前記主たる再生区間情報は、プライマリビデオストリームの再生区間の開始点及び終了点を規定する時間情報と、ストリームエントリーテーブルとを含み、
前記従たる再生区間情報は、セカンダリビデオストリームの再生区間の開始点及び終了点を規定する時間情報を含み、
前記ストリームエントリーテーブルには、再生が許可されているセカンダリビデオストリームのエントリーと、再生が許可されているセカンダリオーディオストリームのエントリーと、組合せ情報とが記述されており、
前記組合せ情報は、
セカンダリビデオストリームとの再生の組合せが許可されているセカンダリオーディオストリームを示し
前記再生装置は、
カレントのセカンダリビデオストリームの番号を格納する第１ストリーム番号レジスタと、
カレントのセカンダリオーディオストリームの番号を格納する第２ストリーム番号レジスタと、を備え、
カレントのセカンダリビデオストリーム番号が変化した際、前記第２ストリーム番号レジスタによって示されるカレントのセカンダリオーディオストリームが、所定の条件を満たすかどうかを判定して、満たすと判定した場合、カレントのセカンダリオーディオストリームを維持し、満たさないと判定した場合、セカンダリオーディオストリームを新たに選択し、
前記所定の条件とは、
前記組合せ情報において、前記第１ストリーム番号レジスタによって示されるカレントのセカンダリビデオストリームの再生に、カレントのセカンダリオーディオストリームの再生を組み合わせることが許可されていることである、再生装置。
【請求項２】
新たなセカンダリオーディオストリームの選択は、前記ストリームエントリーテーブルに記載されたセカンダリオーディオストリームのエントリーが、第１の条件、第２の条件のそれぞれを満たすかどうかを判定して、第１の条件及び第２の条件を満たすオーディオストリームのうち、ストリームエントリーテーブルにおける優先順位が最も高いもののセカンダリオーディオストリームを選択することでなされ、
第１の条件は、前記所定の条件であり、第２の条件は、カレントのセカンダリオーディオストリームの言語属性が、カレントのプライマリオーディオストリームの言語属性と一致することである
ことを特徴とする請求項１記載の再生装置。
【請求項３】
ストリーム番号レジスタは、再生装置に記録媒体が装填された際、無効な値が格納されることで初期化され、
プレイリスト情報による再生が開始した際、又は、プレイリスト情報におけるカレントの主たる再生区間情報が切り替った際、
第１の条件と第２の条件の両方を満たすセカンダリオーディオストリームが存在する場合、そのセカンダリオーディオストリームを選択し、
第１の条件と第２の条件の両方を満たすセカンダリオーディオストリームが存在しない場合、第１の条件のみを満たすセカンダリオーディオストリームを選択する
ことを特徴とする請求項１記載の再生装置。
【請求項４】
カレントのセカンダリオーディオストリーム番号をストリーム番号Ｘに変更することが要求された場合、
変更に係るストリーム番号Ｘに対応するセカンダリオーディオストリームが前記所定の条件を満たすか否かを判定し、満たすと判定した場合、ストリーム番号Ｘをカレントのセカンダリオーディオストリームの番号として前記第２ストリーム番号レジスタに書き込み、満たさないと判定した場合、前記第２ストリーム番号レジスタにおけるカレントのストリーム番号を維持する
ことを特徴とする請求項１記載の再生装置。
【手続補正２】
【補正対象書類名】明細書
【補正対象項目名】発明の名称
【補正方法】変更
【補正の内容】
【発明の名称】再生装置
【手続補正３】
【補正対象書類名】明細書
【補正対象項目名】０００７
【補正方法】変更
【補正の内容】
【０００７】
しかしながら、複数のセカンダリビデオを選択的に再生する場合、同期再生されるべきオーディオの内容が、再生対象になっているセカンダリビデオと整合しなくなるケースが生じる。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の目的は、複数のセカンダリビデオを選択的に再生する場合、同期再生されるべきオーディオの内容を、再生対象になっているセカンダリビデオと整合させることができる再生装置を提供することである。
【手続補正６】
【補正対象書類名】明細書
【補正対象項目名】００１０
【補正方法】変更
【補正の内容】
【００１０】
上記目的を達成するため、本発明にかかる再生装置は、プレイリスト情報を構成する主たる再生区間情報と従たる再生区間情報に従って、プライマリビデオストリーム及びセカンダリビデオストリームを用いたピクチャインピクチャ再生を行うと共に、プライマリオーディオストリーム及びセカンダリオーディオストリームを用いたミキシング再生を行う再生装置であって、
前記主たる再生区間情報は、プライマリビデオストリームの再生区間の開始点及び終了点を規定する時間情報と、ストリームエントリーテーブルとを含み、
前記従たる再生区間情報は、セカンダリビデオストリームの再生区間の開始点及び終了点を規定する時間情報を含み、
前記ストリームエントリーテーブルには、再生が許可されているセカンダリビデオストリームのエントリーと、再生が許可されているセカンダリオーディオストリームのエントリーと、組合せ情報とが記述されており、
前記組合せ情報は、
セカンダリビデオストリームとの再生の組合せが許可されているセカンダリオーディオストリームを示し
前記再生装置は、
カレントのセカンダリビデオストリームの番号を格納する第１ストリーム番号レジスタと、
カレントのセカンダリオーディオストリームの番号を格納する第２ストリーム番号レジスタと、を備え、
カレントのセカンダリビデオストリーム番号が変化した際、前記第２ストリーム番号レジスタによって示されるカレントのセカンダリオーディオストリームが、所定の条件を満たすかどうかを判定して、満たすと判定した場合、カレントのセカンダリオーディオストリームを維持し、満たさないと判定した場合、セカンダリオーディオストリームを新たに選択し、
前記所定の条件とは、
前記組合せ情報において、前記第１ストリーム番号レジスタによって示されるカレントのセカンダリビデオストリームの再生に、カレントのセカンダリオーディオストリームの再生を組み合わせることが許可されていることを特徴としている。
【手続補正７】
【補正対象書類名】明細書
【補正対象項目名】００１１
【補正方法】変更
【補正の内容】
【００１１】
セカンダリビデオが、監督や出演者のみが登場している動画像であり、プライマリビデオにおける映像内容を指さすような演技を行っている場合、ピクチャインピクチャにてかかるセカンダリビデオの映像内容を、セカンダリオーディオによる映画監督のコメンタリと組み合わせることにより、映画作品本編の再生映像の中身を、監督や出演者が指さして、解説しているような、楽しい画面演出を実現することができる。
【手続補正８】
【補正対象書類名】明細書
【補正対象項目名】００１２
【補正方法】削除
【補正の内容】